(57)【要約】  治具５０は、エレベーター１の返し車装置２０に含まれる返し車６を清掃するのに用いられる。返し車装置２０は、取付板２２を含み、取付板２２には、返し車６の軸部４１が取り付けられる。また、取付板２２は、返し車６の側面４３の少なくとも一部を間隔をおいた状態で覆う。治具５０は、取付板２２に固定するための固定部６０と、固定部６０に連結部７５を介して繋がると共に、固定部６０を取付板２２に固定した状態で側面４３に接触させることができる清掃部９５を備える。
2020008586.tif 000002
【特許請求の範囲】
【請求項１】
エレベーターにおいて、返し車、及び、その返し車の軸部が取り付けられ、前記返し車の側面の少なくとも一部を間隔をおいた状態で覆うように配置される取付板を備える返し車装置における前記返し車を清掃するのに用いられる返し車清掃用治具であって、
前記取付板に固定するための固定部と、
前記固定部に連結部を介して繋がると共に、前記固定部を前記取付板に固定した状態で前記側面に接触させることができる清掃部と、
を備える、返し車清掃用治具。
【請求項２】
前記連結部は、前記固定部を前記取付板に固定した状態で前記返し車の軸方向に略平行に延在する軸方向延在部を含み、
前記軸方向延在部を前記軸方向に伸縮させる軸方向伸縮部を含む、請求項１に記載の返し車清掃用治具。
【請求項３】
前記連結部は、前記固定部を前記取付板に固定した状態で前記軸方向延在部の延在方向に略直交する直交方向に延在する直交方向延在部を含み、
前記直交方向延在部を前記直交方向に伸縮させる直交方向伸縮部を含む、請求項１又は２に記載の返し車清掃用治具。
【請求項４】
前記清掃部とは長さが異なる１以上の取替用清掃部を備え、
前記清掃部、及び前記取替用清掃部は、前記連結部に着脱可能である、請求項１乃至３のいずれか１つに記載の返し車清掃用治具。
【請求項５】
シート部材、前記シート部材において一方向に対向する両端部における一方側端部に固定された第１磁石、及び前記両端部における他方側端部に固定された第２磁石を有する磁石付シート部材を、更に備える、請求項１乃至４のいずれか１つに記載の返し車清掃用治具。
【請求項６】
請求項１乃至５のいずれか１つに記載の返し車清掃用治具を用いてエレベーターの返し車を清掃する返し車清掃方法であって、
前記返し車清掃用治具の前記清掃部を前記返し車の側面に接触させた状態で、前記固定部を、前記返し車の側面の少なくとも一部に離間された状態で前記一部を覆うように配置されている取付板に固定する固定ステップと、
前記固定ステップの後で、前記返し車を回転させる回転ステップと、
を含む返し車清掃方法。
【発明の詳細な説明】
【技術分野】
【０００１】
本発明は、エレベーターの返し車の清掃に用いられる返し車清掃用治具に関する。また、本発明は、エレベーターの返し車を清掃する返し車清掃方法に関する。
【背景技術】
【０００２】
特許文献１に記載されているように、エレベーターは、カゴ、釣合錘、返し車、及びワイヤーロープを備える。カゴは、ワイヤーロープの一端側に固定され、釣合錘は、ワイヤーロープの他端側に固定される。また、ワイヤーロープの中間部は、返し車に掛け渡される。返し車は、軸部、綱車、及び転がり軸受（以下、単に軸受という）を備える。軸部は、取付板（静止部）に取り付けられ、綱車には、ワイヤーロープが掛け渡される。また、軸受は、綱車を軸部に対して回転自在に支持する。返し車は、ワイヤーロープの延在方向を変動させるために設けられる。
【先行技術文献】
【特許文献】
【０００３】
【特許文献１】特開２００４−２６４２４号公報
【発明の概要】
【発明が解決しようとする課題】
【０００４】
返し車は、軸受内に潤滑剤を供給する供給口を有し、潤滑剤が定期的に供給口を介して軸受内に供給されるが、この際、潤滑剤の一部が軸受から外部に滲み出て綱車の側面に付着する。また、この側面に付着した潤滑剤は、下方に落下してワイワーロープ等を汚染する原因となるので除去しなければならない。しかし、返し車の側面の軸受配置側（中心側）は、返し車の軸部が取り付けられる取付板によって覆われているので手が届きにくい。よって、清掃作業に労力と時間を要し、返し車の側面もきれいに清掃しにくい。【０００５】
そこで、本発明の目的は、返し車の側面の清掃作業を容易に実行でき、返し車の側面をきれいに清掃し易い返し車清掃用治具及び返し車清掃方法を提供することにある。
【課題を解決するための手段】
【０００６】
上記課題を解決するため、本発明に係る返し車清掃用治具は、エレベーターにおいて、返し車、及び、その返し車の軸部が取り付けられ、前記返し車の側面の少なくとも一部を間隔をおいた状態で覆うように配置される取付板を備える返し車装置における前記返し車を清掃するのに用いられる返し車清掃用治具であって、前記取付板に固定するための固定部と、前記固定部に連結部を介して繋がると共に、前記固定部を前記取付板に固定した状態で前記側面に接触させることができる清掃部と、を備える。【０００７】
本発明によれば、清掃部を返し車の側面に接触させた状態で、固定部を返し車の軸部が固定されている取付板に固定できる。したがって、その状態で、返し車を自動で回転させるだけで、清掃部で側面に付着している潤滑剤を容易にそぎ落すことができる。よって、取付板で覆われているために手が届きにくい側面の清掃作業を容易に実行でき、側面をきれいに清掃し易い。【０００８】
また、本発明において、前記連結部は、前記固定部を前記取付板に固定した状態で前記返し車の軸方向に略平行に延在する軸方向延在部を含み、前記軸方向延在部を前記軸方向に伸縮させる軸方向伸縮部を含んでもよい。【０００９】
上記構成によれば、返し車の側面と取付板の距離に応じて軸方向延在部の軸方向長さを変動させることができ、軸方向延在部の軸方向長さの調整で清掃部を返し車の側面に接触させることができる。よって、返し車清掃用治具を返し車の側面と取付板の距離が異なる複数の返し車装置に適用可能となって、返し車清掃用治具の汎用性を高くできる。【００１０】
また、本発明において、前記連結部は、前記固定部を前記取付板に固定した状態で前記軸方向延在部の延在方向に略直交する直交方向に延在する直交方向延在部を含み、前記直交方向延在部を前記直交方向に伸縮させる直交方向伸縮部を含んでもよい。【００１１】
上記構成によれば、返し車の仕様に応じて直交方向延在部の長さを調整できる。したがって、返し車の仕様毎に清掃部を返し車の側面の適切な位置に接触させることができ、返し車の側面の清掃効果を大きくできる【００１２】
また、本発明において、前記清掃部とは長さが異なる１以上の取替用清掃部を備え、前記清掃部、及び前記取替用清掃部は、前記連結部に着脱可能であってもよい。【００１３】
返し車の径が大きくなれば、転がり軸受から滲み出る潤滑剤の量も多くなり易い。これに対し、本構成によれば、返し車の仕様に応じて適切な長さの清掃部を選択して選択した清掃部を連結部に装着できる。よって、清掃部による返し車の側面の清掃効果を大きくできる。【００１４】
また、本発明において、シート部材、前記シート部材において一方向に対向する両端部における一方側端部に固定された第１磁石、及び前記両端部における他方側端部に固定された第２磁石を有する磁石付シート部材を、更に備えてもよい。【００１５】
上記構成によれば、返し車の軸部が固定され、返し車の綱車を挟むように配置される一対の取付板の一方の取付板の外側面に第１磁石を固定でき、他方の取付板の外側面に第２磁石を固定できる。そして、その状態で、返し車の下側をシート部材で覆うことができる。よって、返し車からそぎ落された潤滑剤をシート部材で受けることができ、そぎ落された潤滑剤が返し車の下方領域を汚染することを防止できる。【００１６】
また、本発明の返し車清掃方法は、本発明の返し車清掃用治具を用いてエレベーターの返し車を清掃する返し車清掃方法であって、前記返し車清掃用治具の前記清掃部を前記返し車の側面に接触させた状態で、前記固定部を、前記返し車の側面の少なくとも一部に離間された状態で前記一部を覆うように配置されている取付板に固定する固定ステップと、前記固定ステップの後で、前記返し車を回転させる回転ステップと、を含む。【００１７】
本発明によれば、返し車の側面の清掃作業を容易に実行でき、返し車の側面をきれいに清掃できる。
【発明の効果】
【００１８】
本発明によれば、エレベーターの返し車の側面の清掃作業を容易に実行でき、返し車の側面をきれいに清掃できる。
【図面の簡単な説明】
【００１９】
【図１】返し車を含むエレベーターの一例の概略構成図である。
【図２】本発明の一実施形態に係る返し車清掃用治具が取り付けられた返し車装置を、返し車の径方向の外方から見たときの正面図である。
【図３】上記返し車清掃用治具が設置された返し車装置を、図２に矢印Ａで示す方向から見たときの側面図である。
【図４】上記返し車清掃用治具の治具本体の正面図であり、図２に示す正面図において治具本体のみを拡大して示す正面図である。
【図５】上記治具本体の一部を図４に矢印Ｂで示す方向から見たときの平面図である。
【図６】（ａ）は、上記治具本体の清掃部の取付構造について説明する模式図であり、清掃部の取付先の構造を示す模式図である。また、（ｂ）は、上記治具本体の清掃部の取付構造について説明する模式図であり、清掃部の周辺構造を示す模式図である。
【図７】図２で説明した返し車装置と異なる構造を有する返し車装置について説明する図である。
【発明を実施するための形態】
【００２０】
以下に、本発明に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さの寸法比は、必ずしも一致しない。
【００２１】
図１は、返し車６〜９を含むエレベーター１の一例の概略構成図である。図１に示すように、エレベーター１は、カゴ２、ワイヤーロープ３、釣合錘４、巻上機５、第１返し車６、第２返し車７、第３返し車８、第２返し車９、及び制御盤１０を備える。カゴ２は、建物内を鉛直方向に延在する昇降路１１内に配置され、巻上機５、及び制御盤１０は、昇降路１１の下部に位置するピット１２に設けられる。また、第１乃至第３返し車６,７,８は、昇降路１１の奥行方向に間隔をおいた状態で昇降路１１の天井に回動自在に吊り下げ固定されている。また、第４返し車９は、昇降路１１内に配置された釣合錘４に取り付けられる。なお、図１では、巻上機５がピット１２に設置された機械室レスエレベーターを例に説明を行うが、エレベーターは、昇降路の上部に機械室を有し、巻上機が機械室に設置される構成でもよい。
【００２２】
ワイヤーロープ３の一端部は、カゴ２の上部に固定されている。ワイヤーロープ３は、カゴ２から第１返し車６、第２返し車７、巻上機５、第３返し車８、第４返し車９の順に巻回され、ワイヤーロープ３の他端部は、昇降路１１の天井に固定されている。釣合錘４の重さは、釣合錘４にワイヤーロープ３を介してつながるカゴ２との間でバランスを取るように設定されている。制御盤１０は、各階の乗場１４に設けられてカゴ２を呼ぶカゴ呼釦（図示せず）やカゴ２内に設けられて行先階を指定する行先階釦（図示せず）から信号を受ける。制御盤１０がそれらの信号に基づいて巻上機５のモータ５ａの回転方向及び速度を制御することでカゴ２が昇降する。
【００２３】
図２は、本発明の一実施形態に係る返し車清掃用治具５０が取り付けられた返し車装置２０を、それが含む第１返し車（以下、単に返し車という）６の径方向の外方から見たときの正面図である。また、図３は、返し車清掃用治具５０が設置された返し車装置２０を、図２に矢印Ａで示す方向から見たときの側面図である。
【００２４】
図２に示すように、返し車６は、綱車４０、軸部４１、及び転がり軸受（不図示）を備える。綱車４０は、ワイヤーロープ３が掛け渡される綱溝４２を有し、転がり軸受は、綱車４０を軸部４１に対して回転自在に支持する。また、返し車装置２０は、返し車６の他に、返し車取付部２１を備え、返し車取付部２１は、返し車６の軸部４１を固定する一対の金属製の取付板２２を含む。取付板２２は、返し車取付部２１において綱車４０の側面４３に略平行に配置される板状部である。
【００２５】
返し車装置２０は、所定位置に取り付けられた状態で図２の紙面の上側が鉛直方向上側に一致する。また、取付板２２は、その上側端部が昇降路１１の天井側に直接取り付けられた部材につながるか、又はその上側端部が昇降路１１に取り付けられた１以上の他の部材を介して昇降路１１に間接的に固定され、昇降路１１に対して静止する。一方側の取付板２２は、綱車４０の軸方向の一方側に位置して綱車４０に間隔をおいて軸方向に対向する一方、他方側の取付板２２は、綱車４０の軸方向の他方側に位置して綱車４０に間隔をおいて軸方向に対向する。
【００２６】
返し車６の軸部４１の一方側端部は、綱車４０から軸方向の一方側に突出し、軸部４１の他方側端部は、綱車４０から軸方向の他方側に突出する。軸部４１の一方側端部が、一方側の取付板２２に固定され、軸部４１の他方側端部が、他方側の取付板２２に固定されることで、返し車６が、一対の取付板２２に回転自在に取り付けられ、その結果、綱車４０が昇降路１１に回転自在に取り付けられる。
【００２７】
図２に示すように、返し車清掃用治具（以下、単に治具という）５０は、治具本体５１と、磁石付シート部材５２を備える。治具本体５１の構造については、後で図４乃至６を用いて詳細に説明する。図２に示すように、本返し車装置２０の仕様では、治具５０は、取付板２２の下側端部に取り付けられる。
【００２８】
図２及び図３に示すように、磁石付シート部材５２は、シート部材５３、複数の第１磁石５４、及び複数の第２磁石５５を備える。シート部材５３は、略矩形（帯状）の形状を有する。また、複数の第１磁石５４は、シート部材５３の一方側表面における長手方向の一方側端部に幅方向に間隔をおいて固着され、複数の第２磁石５５は、シート部材５３の一方側表面における長手方向の他方側端部に幅方向に間隔をおいて固着される。
【００２９】
図２及び図３に示すように、第１磁石５４が、一方の取付板２２の外側端面に磁力で固定され、第２磁石５５は、他方の取付板２２の外側端面に磁力で固定される。図３に示すように、本実施例では、シート部材５３は、綱車４０の下側端部の大部分を覆うように配置され、鉛直方向から見たとき取付板２２に固定された治具本体５１の全てと重なるように配置される。しかし、シート部材は、綱車の下側端部の全てを覆うように配置されると好ましく、鉛直方向から見たとき、綱車の全てに重なると共に取付板に固定された治具本体の全てに重なるように配置されると好ましい。また、図２及び図３に示す例では、第１及び第２磁石５４,５５が、シート部材５３を挟まずに取付板２２に固定されているが、第１及び第２磁石は、シート部材を挟んだ状態で取付板に固定されもよい。
【００３０】
次に治具本体５１の構造について詳細に説明する。図４は、治具本体５１の正面図であり、図２に示す正面図において治具本体５１のみを拡大して示す正面図である。また、図５は、治具本体５１の一部を図４に矢印Ｂで示す方向から見たときの平面図である。図４に示すように、治具本体５１は、固定部６０と、連結部７５と、清掃部９５を備える。
【００３１】
固定部６０は、一体の固定部本体６１と、押圧部６２と、蝶ねじ６３を備え、固定部本体６１は、第１平板部６５、第２平板部６６、第３平板部６７、及び連結部取付構造６８を含む。第１乃至第３平板部６５〜６７は、平板状の形状を有し、第２平板部６６と、第３平板部６７は、互いに略平行な状態で第１平板部６５の一方側面６５ａから第１平板部６５に略直交する直交方向に延在する。また、押圧部６２は、円板状の押圧板６９と、蝶ねじ７０を有し、蝶ねじ７０の軸部７０ａの先端部が押圧板６９の裏面（押圧面とは反対側の面）に接合されている。第３平板部６７は、ねじ孔を有し、蝶ねじ７０の軸部７０ａに設けられた雄ねじがそのねじ孔に螺合している。
【００３２】
取付板２２（図２参照）の下側端部を、第２平板部６６と押圧板６９との間に配置した状態で蝶ねじ７０を締め込んで、押圧板６９を第２平板部６６側に移動させる。そして、押圧板６９で取付板２２の下側端部を第２平板部６６側に締め付けることで、固定部６０を取付板２２の下側端部に固定する。
【００３３】
連結部取付構造６８は、第１平板部６５の他方側面６５ｂに繋がる。連結部取付構造６８は、他方側面６５ｂと相俟って断面略矩形の貫通孔を構成する挿通孔画定部７２を有する。図示しないが、挿通孔画定部７２は、第１平板部６５にその法線方向に対向する板状部７２ａにねじ孔を有する。そして、蝶ねじ６３の軸部に設けられた雄ねじが、そのねじ孔に螺合している。
【００３４】
連結部７５は、固定部６０と清掃部９５を連結する部分であり、固定部６０から清掃部９５まで延在する。連結部７５は、軸方向延在部７６、直交方向延在部７７、結合部７８を有する。軸方向延在部７６は、直線の延在方向である一方向に延在する第１棒状部材７３の一部で構成され、第１棒状部材７３の断面形状は、略矩形の形状となっている。第１棒状部材７３は、挿通孔画定部７２が画定する挿通孔に挿通される。蝶ねじ６３を締め込んで蝶ねじ６３の先端部で第１棒状部材７３を第１平板部６５の他方側面６５ｂに押圧して第１棒状部材７３を第１平板部６５に締め付けることで、第１棒状部材７３を挿通孔画定部７２に固定する。また、第１棒状部材７３において蝶ねじ６３に接触する長さ位置を適切に調整することで、軸方向延在部７６の長さを調整する。挿通孔画定部７２及び蝶ねじ６３は、軸方向伸縮部を構成する。また、第１棒状部材７３において、挿通孔画定部７２及び蝶ねじ６３で固定される部分は、軸方向延在部７６の一方側端部を構成する。
【００３５】
図５に示すように、結合部７８は、結合本体７９、第１蝶ねじ８０、及び第２蝶ねじ８１を含み、結合本体７９は、互いに略直交する方向に延在する第１及び第２貫通孔８２,８３を含む。第１貫通孔８２は、断面略矩形の形状を有し、第１棒状部材７３が、第１貫通孔８２に挿通される。第１貫通孔８２は、貫通孔画定部８４によって画定され、貫通孔画定部８４は、第２貫通孔８３側とは反対側に位置する側壁部８５にねじ孔を有する。第１蝶ねじ８０の軸部に設けられた雄ねじを側壁部８５のねじ孔に螺合して当該軸部の先端部で第１棒状部材７３を側壁部８５に対向する対向側壁部８６側に押圧する。このようにして、第１棒状部材７３を対向側壁部８６に締め付けることで第１棒状部材７３を結合本体７９に固定する。第１棒状部材７３において結合部７８に固定される部分は、軸方向延在部７６の他方側端部を構成する。
【００３６】
図５に示すように、第２貫通孔８３は、円筒孔である。また、図４を参照して、直交方向延在部７７は、丸棒部材で構成される第２棒状部材７４の一部で構成され、第２棒状部材７４は、第２貫通孔８３に挿通される。図５を参照して、第２貫通孔８３を画定する円筒部８７は、径方向に延在するねじ孔を有する。第２蝶ねじ８１の軸部に設けられた雄ねじを円筒部８７のねじ孔に螺合して当該軸部の先端部で第２棒状部材７４を第２貫通孔８３の内周面に押圧する。このようにして、第２棒状部材７４を第２貫通孔８３の内周面に締め付けることで第２棒状部材７４を結合本体７９に固定する。第２棒状部材７４で第２蝶ねじ８１に接触する長さ位置を適切に調整することで直交方向延在部７７の長さを調整する。円筒部８７、及び第２蝶ねじ８１は、直交方向伸縮部を構成する。また、第２棒状部材７４において結合部７８に固定される部分は、直交方向延在部７７の一方側端部を構成する。
【００３７】
図４に示すように、清掃部９５は、第２棒状部材７４における結合部７８側とは反対側の端部８９に着脱可能に取り付けられる。詳しくは、図６（ａ）に示すように、第２棒状部材７４の端部８９には、有底の円筒孔９３が設けられる。また、図６（ｂ）を参照して、清掃部９５は、取付軸部９４の一方側端部が露出した状態で取付軸部９４の他方側端部に固定される。より詳しくは、例えば、清掃部９５は、有底の円筒孔等で構成される取付凹部（不図示）を有し、取付軸部９４の他方側端部が、その取付凹部に固定手段、例えば、接着剤や圧入等で固定される。
【００３８】
図６（ａ）及び図６（ｂ）を参照して、取付軸部９４において露出している一方側端部９４ａを第２棒状部材７４の円筒孔９３に圧入することで取付軸部９４が第２棒状部材７４に固定され、その結果、清掃部９５が第２棒状部材７４に固定される。取付軸部９４の一方側端部の全てを円筒孔９３に圧入した場合、第２棒状部材７４の結合部７８側とは反対側の端部が、直交方向延在部７７の他方側端部を構成する。清掃部９５は、例えば、ゴム製のヘラ、ブラシ、スポンジ、又はタワシ等で好適に構成されるが、綱車４０の側面に付着したグリース等の潤滑剤をそぎ落とすことが可能な材質であれば如何なる材質で構成されてもよい。
【００３９】
上記構成において、例えば、治具５０を用いて返し車６を次の手順で清掃する。先ず、図４に示すように、第２棒状部材７４の一端部に清掃部９５を取り付け、第２棒状部材７４の他方側を結合部７８に取り付ける。また、第１棒状部材７３の他方側を結合部７８に取り付ける。
【００４０】
次に、固定部６０における連結部取付構造６８の貫通孔に第１棒状部材７３を一方側端部から挿通し、固定部６０の押圧板６９と第２平板部６６との間に取付板２２の下側端部を配置する。そして、その状態で、蝶ねじ７０を締め込んで押圧板６９で当該下側端部を第２平板部６６に締め付け、固定部６０を取付板２２に固定する。
【００４１】
続いて、清掃部９５が綱車４０の側面４３に接触するまで第１棒状部材７３を綱車４０側に押圧する。清掃部９５が綱車４０の側面４３に接触している状態で蝶ねじ６３を締め込んで連結部取付構造６８を第１棒状部材７３に固定することで治具本体５１の返し車装置２０への固定が完了する。
【００４２】
その後、磁石付シート部材５２の第１磁石５４を、一方の取付板２２の外側端面に固定し、第２磁石５５を、他方の取付板２２の外側端面に固定する。磁石付シート部材５２を、一対の取付板２２に固定した状態で、シート部材５３が、鉛直方向から見たとき取付板２２に固定された治具本体５１の全てと重なるように配置する。この一対の取付板２２への第１棒状部材７３の固定で、返し車装置２０への治具５０の固定が完了する。
【００４３】
最後に、治具５０を返し車装置２０に固定した状態で、エレベーター１のカゴ２を移動させることで、綱車４０を回転させる。この綱車４０の回転は、例えばカゴ２上の作業員がポータブルスイッチを用いて実行する。この綱車４０の回転で、清掃部９５が綱車４０の側面４３に接触した状態で側面４３に対して相対移動する。この相対移動で清掃部９５が側面４３に付着していた潤滑剤を下方にそぎ落とす。綱車４０を、少なくとも２回り回転させると潤滑剤を十分にそぎ落とすことができて好ましい。シート部材５３が落下した潤滑剤を回収することで外部環境を汚染することなく返し車６の清掃を実行できる。
【００４４】
以上の説明より明らかなように、治具５０は、エレベーター１の返し車装置２０に含まれる返し車６を清掃するのに用いられる。また、返し車装置２０は、取付板２２を含み、取付板２２には、返し車６の軸部４１が取り付けられる。また、取付板２２は、返し車６の側面４３の少なくとも一部を間隔をおいた状態で覆う。また、治具５０は、取付板２２に固定するための固定部６０と、固定部６０に連結部７５を介して繋がると共に、固定部６０を取付板２２に固定した状態で側面４３に接触できる清掃部９５を備える。
【００４５】
したがって、清掃部９５を返し車６の側面４３に接触させた状態で、固定部６０を返し車の軸部４１が固定されている取付板２２に固定できる。よって、その状態で、返し車６を自動で回転させるだけで、清掃部９５で側面４３に付着している潤滑剤を容易にそぎ落すことができる。その結果、取付板２２で覆われているために手が届きにくい側面４３の清掃作業を容易に実行でき、側面４３をきれいに清掃できる。
【００４６】
また、連結部７５は、固定部６０を取付板２２に固定した状態で返し車６の軸方向に略平行に延在する軸方向延在部７６を含み、軸方向延在部７６を軸方向に伸縮させる軸方向伸縮部を含んでもよい。
【００４７】
上記構成によれば、返し車６の側面４３と取付板２２の距離に応じて軸方向延在部７６の軸方向長さを自在に変動させることができ、軸方向延在部７６の軸方向長さの調整で清掃部９５を返し車６の側面４３に接触させることができる。よって、治具５０を、返し車６の側面４３と取付板２２の距離が異なる複数の返し車装置２０に適用可能になって治具５０の汎用性を高くできる。
【００４８】
また、連結部７５は、固定部６０を取付板２２に固定した状態で軸方向延在部７６の延在方向に略直交する直交方向に延在する直交方向延在部７７を含み、直交方向延在部７７を直交方向に伸縮させる直交方向伸縮部を含んでもよい。
【００４９】
上記構成によれば、返し車６の仕様に応じて直交方向延在部７７の長さを調整できる。したがって、返し車６の仕様に応じて清掃部９５を返し車６の側面４３の適切な位置に接触させることができ、返し車６の側面４３の清掃効果を大きくできる。
【００５０】
また、治具５０は、清掃部９５とは長さが異なる１以上の取替用清掃部を備えてもよい。そして、清掃部９５、及び取替用清掃部は、連結部７５に着脱可能であってもよい。なお、取替用清掃部は、図６（ｂ）に示す清掃部９５との比較において長さのみが異なる構成を有するので図示を省略する。
【００５１】
返し車６の径が大きくなれば、転がり軸受から滲み出る潤滑剤の量も多くなり易い。これに対し、本構成によれば、返し車６の仕様に応じて適切な長さの清掃部９５を選択でき、選択した清掃部９５又は取替用清掃部を連結部７５に装着できる。よって、清掃部９５又は取替用清掃部による返し車６の側面４３の清掃効果を大きくできる。
【００５２】
また、治具５０は、シート部材５３、シート部材５３において一方向に対向する両端部における一方側端部に固定された第１磁石５４、及び上記両端部における他方側端部に固定された第２磁石５５を有する磁石付シート部材５２を、更に備えてもよい。
【００５３】
上記構成によれば、綱車４０を挟むように配置される一対の取付板２２の一方の取付板２２の外側面に第１磁石５４を固定でき、他方の取付板２２の外側面に第２磁石５５を固定できる。そして、その状態で、返し車６の下側をシート部材５３で覆うことができる。よって、返し車６からそぎ落された潤滑剤をシート部材５３で受けることができ、そぎ落された潤滑剤が返し車６の下方領域を汚染することを防止できる。
【００５４】
また、本発明の返し車清掃方法は、本発明の治具５０を用いてエレベーター１の返し車６を清掃する返し車清掃方法である。また、その返し車清掃方法は、治具５０の清掃部９５を返し車６の側面４３に接触させた状態で、固定部６０を、返し車６の側面４３の少なくとも一部に離間された状態でその一部を覆うように配置されている取付板２２に固定する固定ステップを含む。また、その返し車清掃方法は、固定ステップの後で、返し車６を回転させる回転ステップを含む。本構成によれば、返し車６の側面４３の清掃作業を容易に実行でき、返し車６の側面４３をきれいに清掃できる。
【００５５】
なお、本発明は、上記実施形態およびその変形例に限定されるものではなく、本願の特許請求の範囲に記載された事項およびその均等な範囲において種々の改良や変更が可能である。
【００５６】
例えば、上記実施形態では、軸方向延在部７６の長さ、及び直交方向延在部７７の長さを、蝶ねじ６３,８１を用いて調整する場合について説明した。しかし、軸方向延在部の長さは、ボルトを第１棒状部材に設けた長孔を介して第１平板部に固定する構造で調整してもよい。また、直交方向延在部の長さは、ボルトを第２棒状部材に設けた長孔を介して結合部本体に固定する構造で調整してもよい。
【００５７】
また、治具５０の軸方向延在部７６の長さを調整できる場合について説明した。しかし、治具の軸方向延在部の長さを変動できなくてもよく、治具は、取付板と綱車の側面との距離が所定長さとなっている返し車装置の専用品でもよい。又は、治具は、大きさが異なる複数の清掃部を着脱可能で、清掃部の大きさを変えることで軸方向長さを調整する構成でもよい。
【００５８】
また、治具５０の直交方向延在部７７の長さを調整できる場合について説明した。しかし、治具の直交方向延在部の長さを変動できなくてもよい。また、清掃部９５が直交方向延在部７７に着脱可能である場合について説明し、清掃部９５とは長さが異なる１以上の取替用清掃部を直交方向延在部７７に着脱可能である場合について説明した。しかし、清掃部は、直交方向延在部から取り外し不可能でもよい。
【００５９】
また、第１棒状部材７３において結合本体７９に結合する箇所を変動できる場合について説明した。しかし、第１棒状部材は結合部に一体に構成されてもよく、第１棒状部材が結合部に対して相対移動できない構成でもよい。
【００６０】
また、第１棒状部材７３が、断面略矩形の形状を有し、第２棒状部材７４が、丸棒部材である場合について説明した。しかし、第１及び第２棒状部材の断面形状は、如何なる形状でもよく、例えば、正方形、矩形、円形、半円形、又は多角形等であってもよい。
【００６１】
また、治具５０が、磁石付シート部材５２を備える場合について説明した。しかし、治具は、磁石付シート部材を備えなくてもよく、治具５０の下方にシート部材を配置した状態で治具５０を用いた清掃作業を行ってもよい。
【００６２】
また、治具５０で昇降路１１の天井に吊り下げられている返し車６を清掃する場合について説明した。しかし、本発明の治具でカゴの底側に設置された返し車を清掃してもよい。また、治具本体５１が取付板２２の下側端部に固定される場合について説明したが、治具本体は、取付板の上側端部に固定されてもよい。
【００６３】
詳しくは、図７、すなわち、返し車１０６の径方向の外方から見たときの図に示すように、エレベーター１０１は、略平行に配置されてカゴや釣合錘を案内する一対の案内レール１０２を有してもよい。そして、板状の土台１０３が、一対の案内レール１０２に水平方向に延在するように固定されてもよい。
【００６４】
また、返し車１０６の軸部１０８が一対の取付板１２２に固定され、一対の取付板１２２が、土台１０３の上側に直接固定されるか、又は土台１０３の上側に固定された一対の高さ調整部１０５の上側に固定されてもよい。そして、図示しない治具本体が、一対の取付板１２２の上側端部１２２ａに固定されてもよい。要は、本発明の治具は、綱車と、綱車の少なくとも一方側に配置される取付板を含む如何なる返し車装置の清掃も実現できる。
【符号の説明】
【００６５】
１,１０１  エレベーター、  ６  返し車、  ２０  返し車装置、  ２２,１２２  取付板、  ４１,１０８  返し車の軸部、  ４３  返し車の側面、  ５０  治具、  ５２  磁石付シート部材、  ５３  シート部材、  ５４  第１磁石、  ５５  第２磁石、  ６０  固定部、  ７５  連結部、  ７６  軸方向延在部、  ７７  直交方向延在部、  ９５  清掃部。
【図１】
2020008586.tif 000003
【図２】
2020008586.tif 000004
【図３】
2020008586.tif 000005
【図４】
2020008586.tif 000006
【図５】
2020008586.tif 000007
【図６】
2020008586.tif 000008
【図７】
2020008586.tif 000009
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
エレベーターにおいて、返し車、その返し車の軸部が取り付けられ、前記返し車の一方の側面の少なくとも一部を間隔をおいた状態で覆うように配置される一方の取付板、及び前記返し車の軸部が取り付けられ、前記返し車の他方の側面の少なくとも一部を間隔をおいた状態で覆うように配置される他方の取付板を備える返し車装置における前記返し車を清掃するのに用いられる返し車清掃用治具であって、
前記取付板に固定するための固定部と、
前記固定部に連結部を介して繋がると共に、前記固定部を前記取付板に固定した状態で前記側面に接触させることができる清掃部と、
シート部材、前記シート部材において一方向に対向する両端部における一方側端部に固定された第１磁石、及び前記両端部における他方側端部に固定された第２磁石を有する磁石付シート部材と、を備え、
前記シート部材が、前記一方の取付板から前記他方の取付板まで少なくとも前記返し車の下側端部の一部を覆うように配置される、返し車清掃用治具。
【請求項２】
前記連結部は、前記固定部を前記取付板に固定した状態で前記返し車の軸方向に略平行に延在する軸方向延在部を含み、
前記軸方向延在部を前記軸方向に伸縮させる軸方向伸縮部を含む、請求項１に記載の返し車清掃用治具。
【請求項３】
前記連結部は、前記固定部を前記取付板に固定した状態で前記軸方向延在部の延在方向に略直交する直交方向に延在する直交方向延在部を含み、
前記直交方向延在部を前記直交方向に伸縮させる直交方向伸縮部を含む、請求項１又は２に記載の返し車清掃用治具。
【請求項４】
前記清掃部とは長さが異なる１以上の取替用清掃部を備え、
前記清掃部、及び前記取替用清掃部は、前記連結部に着脱可能である、請求項１乃至３のいずれか１つに記載の返し車清掃用治具。
【請求項５】
前記連結部は、軸方向延在部、直交方向延在部、及び結合部を有して、前記結合部は、結合本体、第１蝶ねじ、及び第２蝶ねじを含み、
前記結合本体は、互いに略直交する方向に延在する第１貫通孔及び第２貫通孔を含み、
前記軸方向延在部は、第１貫通孔に挿通され、前記直交方向延在部は、第２貫通孔に挿通される、請求項１乃至４のいずれか１つに記載の返し車清掃用治具。
【請求項６】
請求項１乃至５のいずれか１つに記載の返し車清掃用治具を用いてエレベーターの返し車を清掃する返し車清掃方法であって、
前記返し車清掃用治具の前記清掃部を前記返し車の側面に接触させた状態で、前記固定部を、前記返し車の側面の少なくとも一部に離間された状態で前記一部を覆うように配置されている取付板に固定する固定ステップと、
前記固定ステップの後で、前記返し車を回転させる回転ステップと、
を含む返し車清掃方法。
【手続補正２】
【補正対象書類名】明細書
【補正対象項目名】０００６
【補正方法】変更
【補正の内容】
【０００６】
上記課題を解決するため、本発明に係る返し車清掃用治具は、エレベーターにおいて、返し車、その返し車の軸部が取り付けられ、前記返し車の一方の側面の少なくとも一部を間隔をおいた状態で覆うように配置される一方の取付板、及び前記返し車の軸部が取り付けられ、前記返し車の他方の側面の少なくとも一部を間隔をおいた状態で覆うように配置される他方の取付板を備える返し車装置における前記返し車を清掃するのに用いられる返し車清掃用治具であって、前記取付板に固定するための固定部と、前記固定部に連結部を介して繋がると共に、前記固定部を前記取付板に固定した状態で前記側面に接触させることができる清掃部と、シート部材、前記シート部材において一方向に対向する両端部における一方側端部に固定された第１磁石、及び前記両端部における他方側端部に固定された第２磁石を有する磁石付シート部材と、を備え、前記シート部材が、前記一方の取付板から前記他方の取付板まで少なくとも前記返し車の下側端部の一部を覆うように配置される。
【手続補正３】
【補正対象書類名】明細書
【補正対象項目名】００１４
【補正方法】変更
【補正の内容】
【００１４】
また、本発明において、前記連結部は、軸方向延在部、直交方向延在部、及び結合部を有して、前記結合部は、結合本体、第１蝶ねじ、及び第２蝶ねじを含み、前記結合本体は、互いに略直交する方向に延在する第１貫通孔及び第２貫通孔を含み、前記軸方向延在部は、第１貫通孔に挿通され、前記直交方向延在部は、第２貫通孔に挿通されてもよい。
【手続補正４】
【補正対象書類名】明細書
【補正対象項目名】００１５
【補正方法】変更
【補正の内容】
【００１５】
また、本発明によれば、返し車の軸部が固定され、返し車の綱車を挟むように配置される一対の取付板の一方の取付板の外側面に第１磁石を固定でき、他方の取付板の外側面に第２磁石を固定できる。そして、その状態で、返し車の下側をシート部材で覆うことができる。よって、返し車からそぎ落された潤滑剤をシート部材で受けることができ、そぎ落された潤滑剤が返し車の下方領域を汚染することを防止できる。
【国際調査報告】
2020008586.tif 000010
2020008586.tif 000011
2020008586.tif 000012
2020008586.tif 000013